(57)【要約】【課題】  コンベア付フリーザ内に応用して使用しても氷結する虞がなく、構造を簡素化し煩雑なメンテナンス等の作業を必要とせず、緊張ローラの上下動を円滑に行うことができる搬送ベルト緊張装置を提供する。【解決手段】搬送ベルトの一部を、隙間を有して配置される２つのスプロケットを介して下方へ導出し、搬送ベルトの延びを調節する緊張ローラを備えたコンベア付フリーザ用搬送ベルト緊張装置において、緊張ローラの両側に位置し、コンベア付フリーザ内で使用される搬送ベルト緊張装置は、天板及び底板の両端部を支持する２本のフレームと、その間に設置される２本のパイプと、パイプに被装される断面が略Ｃ型形状のガイドレールとから構成され、主軸をパイプの間に嵌挿させ、緊張ローラをベルト復動部上に載置し、ガイドレールを超高分子ポリエチレンから形成して、緊張ローラがガイドレールの垂直方向に対して摺動可能とすることを特徴とするものである。【選択図】  図１
2008297038.tif 000002
【特許請求の範囲】
【請求項１】
搬送ベルトの一部を、隙間を有して配置される２つのスプロケットを介して下方へ導出し、前記搬送ベルトの延びを調節する緊張ローラを備えたコンベア付フリーザ用搬送ベルト緊張装置において、
ローラ部（６ａ）の両端部に主軸（６ｂ）を有する前記緊張ローラ（６）の両側に位置し、コンベア付フリーザ（１）内で使用される搬送ベルト緊張装置（４）は、
天板（４ａ）及び底板（４ｂ）の両端部を支持する２本のフレーム（４ｂ）と、
前記フレーム（４ｂ）の間に設置される２本のパイプ（４ｄ）と、
前記パイプ（４ｄ）に被装される断面が略Ｃ型形状のガイドレール（５）とから構成され、
前記主軸（６ｂ）を前記ガイドレール（５）が被装された２本の前記パイプ（４ｄ）の間に嵌挿させ、前記緊張ローラ（６）を搬送ベルト（３）におけるベルト復動部（３ｂ）上に載置し、
前記ガイドレール（５）を超高分子ポリエチレンから形成して、前記緊張ローラ（６）が前記ガイドレール（５）における垂直方向に対して、摺動可能とすることを特徴とするコンベア付フリーザ用搬送ベルト緊張装置。
【請求項２】
搬送ベルトの一部を、隙間を有して配置される２つのスプロケットを介して下方へ導出し、前記搬送ベルトの延びを調節する緊張ローラを備えたコンベア付フリーザ用搬送ベルト緊張装置において、
２本の前記ガイドレール（５）における外側円弧部（５ａ）の略中央位置を対峙させるようにして前記パイプ（４ｄ）に嵌挿したことを特徴とする請求項１に記載のコンベア付フリーザ用搬送ベルト緊張装置。
【請求項３】
搬送ベルトの一部を、隙間を有して配置される２つのスプロケットを介して下方へ導出し、前記搬送ベルトの延びを調節する緊張ローラを備えたコンベア付フリーザ用搬送ベルト緊張装置において、
前記主軸（６ｂ）の外径と前記ガイドレール（５）が被装された２本の前記パイプ（４ｄ）の間隙とを略同一としたことを特徴とする請求項１及び請求項２に記載のコンベア付フリーザ用搬送ベルト緊張装置。
【請求項４】
搬送ベルトの一部を、隙間を有して配置される２つのスプロケットを介して下方へ導出し、前記搬送ベルトの延びを調節する緊張ローラを備えたコンベア付フリーザ用搬送ベルト緊張装置において、
前記ガイドレール（５）における外側円弧部（５ａ）の略中央位置に直線部（５ｂ）を設けたことを特徴とする請求項１、請求項２及び請求項３に記載のコンベア付フリーザ用搬送ベルト緊張装置。
【発明の詳細な説明】
【技術分野】
【０００１】
本発明は、連続的に食品等の製品をフリーザに投入して、凍結終了後に製品を取り出すことが可能なコンベア付フリーザにおける搬送用コンベヤの搬送ベルト緊張装置に関するものである。
【背景技術】
【０００２】
従来から、搬送用ベルトコンベヤには、搬送ベルトの延びを調節して緊張を適正に保持する為の搬送ベルト緊張装置が設けられている。例えば、従動側プーリの軸部を回動自在に支持する軸受け部材が、所定位置に固定されているスライド枠により搬送方向である横方向にスライド自在に案内され、この軸受け部材がスクリュウ軸の他端部に取り付けられている。スクリュウ軸はスライド枠の端部に設けられた固定部材に螺合され、スクリュウ軸の他端部に取り付けられたハンドル等でスクリュウ軸を回転させることにより、従動プーリが横方向に移動される。そして、従動側プーリを移動させることにより、弛んでいた搬送ベルトを延ばして適正な緊張に保持することができるようになっている。
【０００３】
また、搬送ベルトを搬送方向に支持する従動プーリを移動させないようにして、移動しろ分だけの設置面積を要したり、ベルトコンベアに後続する設備や施設を移動させたりすることがないものとして、
搬送ベルトの搬送方向に対してほぼ直交する方向に沿って搬送ベルトの駆動側寄りに配置されたスクリュウ軸と、搬送ベルトの駆動側部分を駆動側からより離れる前記直交方向に屈曲させる一対のスナッププーリと、ガイド部材により前記直交方向にスライド自在に案内されて前記スクリュウ軸の端部に係合された軸受け部材と、この軸受け部材によりその軸心部が支持されて、前記スクリュウ軸が回動されて駆動側から離れる前記直交方向に移動されることにより、前記スナッププーリにより屈曲された搬送ベルトの駆動側部分を前記直交方向に引張る調整用プーリを備えたことを特徴とするものが公知である（例えば、特許文献１参照）。
【０００４】
また、図６に示すように、両端部にそれぞれ設けられた駆動側プーリ及び被駆動側プーリ（図示しない）と、この両プーリに掛け渡され被搬送物を載置し運搬可能な無端帯状の搬送ベルト３ｂと、隙間を有して配置された２つの保持プーリ（図示しない）を介して搬送ベルト３ｂを下方に導く緊張ローラ６とを備えたものがある。このベルトコンベアには、緊張ローラ６の両側にそれぞれ設けられた係止部１１を介して取付けられた錘７によって搬送ベルト３ｂを引っ張り、搬送ベルト３ｂに張力を付与するための搬送ベルト緊張装置４が備えられている。
この搬送ベルト緊張装置４は、立設される２本のガイドレール９と、このガイドレール９間を走行可能に設けられ、緊張ローラ６の回転軸１０ａを回転可能に支持するテークアップ形の軸受１０とを１組とし、これを緊張ローラ６の幅方向両側にそれぞれ設けたものである。なお、緊張ローラ６の下方両側には、それぞれ固定台１２が設けられ、この固定台１２に各ガイドレール９がそれぞれ固定されている（例えば、特許文献２参照）。
これによって、緊張ローラ６の回転軸１０ａの両側の軸受１０は、それぞれ垂直に設置されたガイドレール９に挟まれて移動するので、緊張ローラ６の動きに上下方向にのみ自由を与えたものとなっている。
【特許文献１】特開平７−２８５６３６号公報
【特許文献２】特開２００４−２１０４４７号公報
【発明の開示】
【発明が解決しようとする課題】
【０００５】
特許文献１のような構成では、連続的に食品等の製品をフリーザに投入して、凍結終了後に製品を取り出すことが可能なコンベア付フリーザ内に応用して使用を試みても、前記スクリュウ軸が氷結してしまい、回転させることができなくなるので、搬送ベルトの延びを調節して緊張を適正に保持することができないという問題が生じるものであった。
【０００６】
また、特許文献２のような構成では、連続的に食品等の製品をフリーザに投入して、凍結終了後に製品を取り出すことが可能なコンベア付フリーザ内に応用して使用する際には、軸受け１０における潤滑油を低温仕様とするか、又は無潤滑仕様としなければならない。この場合、コストの増大も懸念される。また、軸受け１０のメンテナンスや交換を行わなければならないといった問題も生じ、更には、各軸受け１０は、２本のガイドレール９にそれぞれ挟み込まれており、ガイドレール９の変形やダストの付着等によって、緊張ローラ６の上下動にかたよりが生じ易く、搬送ベルト３ｂの蛇行を引き起こす恐れがあった。
【０００７】
そこで、本発明はこのような問題点を解決するものであって、連続的に食品等の製品をフリーザに投入して、凍結終了後に製品を取り出すことが可能なコンベア付フリーザにおける搬送用コンベヤの搬送ベルト緊張装置に関するものであって、コンベア付フリーザ内に応用して使用しても氷結する虞がなく、構造を簡素化し煩雑なメンテナンス等の作業を必要とせず、緊張ローラの上下動を円滑に行うことができるコンベア付フリーザにおける搬送用コンベヤの搬送ベルト緊張装置を提供することを目的とする。
【課題を解決するための手段】
【０００８】
前記問題点を解決するために、本発明の請求項１に記載の発明のコンベア付フリーザ用搬送ベルト緊張装置は、搬送ベルトの一部を、隙間を有して配置される２つのスプロケットを介して下方へ導出し、前記搬送ベルトの延びを調節する緊張ローラを備えたコンベア付フリーザ用搬送ベルト緊張装置において、ローラ部の両端部に主軸を有する前記緊張ローラの両側に位置し、コンベア付フリーザ内で使用される搬送ベルト緊張装置は、天板及び底板の両端部を支持する２本のフレームと、前記フレームの間に設置される２本のパイプと、前記パイプに被装される断面が略Ｃ型形状のガイドレールとから構成され、前記主軸を前記ガイドレールが被装された２本の前記パイプの間に嵌挿させ、前記緊張ローラを搬送ベルトにおけるベルト復動部上に載置し、前記ガイドレールを超高分子ポリエチレンから形成して、前記緊張ローラが前記ガイドレールにおける垂直方向に対して、摺動可能とすることを特徴とするものである。
【０００９】
また、本発明の請求項２に記載の発明のコンベア付フリーザ用搬送ベルト緊張装置は、請求項１記載のコンベア付フリーザ用搬送ベルト緊張装置において、２本の前記ガイドレールにおける外側円弧部の略中央位置を対峙させるようにして前記パイプに嵌挿したことを特徴とするものである。
【００１０】
また、本発明の請求項３に記載の発明のコンベア付フリーザ用搬送ベルト緊張装置は、請求項１及び請求項２に記載のコンベア付フリーザ用搬送ベルト緊張装置において、前記主軸の外径と前記ガイドレールが被装された２本の前記パイプの間隙とを略同一としたことを特徴とするものである。
【００１１】
また、本発明の請求項４に記載の発明のコンベア付フリーザ用搬送ベルト緊張装置は、請求項１、請求項２及び請求項３に記載のコンベア付フリーザ用搬送ベルト緊張装置において、前記ガイドレールにおける外側円弧部の略中央位置に直線部を設けたことを特徴とするものである。
（作用）
【００１２】
本願発明のコンベア付フリーザ用搬送ベルト緊張装置に係る発明では、低温においても耐衝撃性を有し、耐摩耗性に優れ、自己潤滑性を有する超高分子ポリエチレンから形成される略Ｃ型形状の前記ガイドレールを前記パイプに被装し、前記ガイドレールにおける所定間隔に、前記緊張ローラにおける前記主軸を嵌挿させ、前記ローラ部を前記ベルト復動部上に設置したので、前記コンベア付フリーザ内においても、前記緊張ローラにおける前記主軸と前記ガイドレールは氷結することはなく、前記ガイドレールにおける垂直方向に対して摺動可能となるので、前記緊張ローラの上下動を円滑に行うことができる。
【発明の効果】
【００１３】
本願発明のコンベア付フリーザ用搬送ベルト緊張装置に係る発明では、低温においても耐衝撃性を有し、耐摩耗性に優れ、自己潤滑性を有する超高分子ポリエチレンから形成される略Ｃ型形状の前記ガイドレールを前記パイプに被装し、前記ガイドレールにおける所定間隔に、前記緊張ローラにおける前記主軸を嵌挿させ、前記ローラ部を前記ベルト復動部上に設置したので、前記コンベア付フリーザ内においても、前記緊張ローラにおける前記主軸と前記ガイドレールは氷結することはなく、前記ガイドレールにおける垂直方向に対して摺動可能となるので、前記緊張ローラの上下動を円滑に行うことができるので、前記ベルト復動部の撓みを前記緊張ローラの自重で、下方へ引張ることができ、前記搬送ベルトの延びを自動的に調節して緊張を保持することができるようになる。
また、前記ガイドレールには、超高分子ポリエチレンのみを使用するので、従来のような軸受けを用いた際における煩雑なメンテナンス等の作業を必要とせず、構造も簡素化することができる。
また、前記ガイドレールの断面を略Ｃ型形状に成形したことから、前記パイプに対して容易に被装することができるし、前記ガイドレールを交換する場合においても容易に取り外すことができる。
更に、構造を簡素化したことから、前記緊張ローラの自重のみによって、前記緊張ローラにおける前記主軸の左右の均衡を保持することができるので、左右の主軸の上下動にかたよりが生じることもなく、搬送ベルトの蛇行を引き起こす虞もなくなる。
【００１４】
更に、請求項３に記載のコンベア付フリーザ用搬送ベルト緊張装置に係る発明では、前記主軸の外径と前記ガイドレールが被装された２本の前記パイプの間隙とを略同一とするので、前記緊張ローラにおける前記主軸は、前記ガイドレールが被装された２本の前記パイプの間隙に狭持され、前記緊張ローラは遊動することがないので、前記緊張ローラの蛇行を引き起こす虞もなくなる。これによっても、搬送ベルトの蛇行を防止することができる。
【００１５】
更に、請求項４に記載のコンベア付フリーザ用搬送ベルト緊張装置に係る発明では、前記ガイドレールにおける外側円弧部の略中央位置に直線部を設けたので、請求項３における発明よりも前記緊張ローラにおける前記主軸と前記ガイドレールが被装された２本の前記パイプの接地面積を多くすることができる。これによって、より安定して前記緊張ローラを狭持することができる。
【発明を実施するための最良の形態】
【００１６】
以下、本発明の実施の形態におけるコンベア付フリーザ用搬送用コンベヤの搬送ベルト緊張装置を図面に基づいて説明する。
【００１７】
図１は、本発明の実施例１に係るコンベア付フリーザ１を長手方向に切断した部分簡略正面図である。図２は、本発明の実施例１に係るコンベア付フリーザ１における搬送ベルト緊張装置、緊張ローラ及びベルト復動部の部分拡大正面図である。図３は、本発明の実施例１に係るコンベア付フリーザ１における（ａ）ガイドレールの拡大正面図、（ｂ）搬送ベルト緊張装置、緊張ローラ及びベルト復動部の部分拡大平面図である。図４は、本発明の実施例１に係るコンベア付フリーザ１における搬送ベルト緊張装置、緊張ローラ及びベルト復動部の緊張ローラ摺動後の部分拡大平面図である。図５は、本発明の実施例１に係るコンベア付フリーザ１における搬送ベルト緊張装置、錘を設置した緊張ローラ及びベルト復動部の部分拡大平面図である。図６は、従来より用いられている搬送コンベアにおける搬送ベルト緊張装置の部分拡大正面図である。
【実施例１】
【００１８】
本発明を具体化した実施形態について図１から図５に従って説明する。尚、図中、前記従来例と同一符号は同一部材を示す。
図１に示すように、本発明の実施例に係るコンベア付フリーザ１は、従来のコンベア付フリーザと同様のものとされる。搬送ベルト緊張装置４は、矢印方向に移動する搬送ベルト３におけるベルト往動部３ａが従動プーリ２を介してなるベルト復動部３ｂにおけるスプロケット２ａとスプロケット２ｂの間に位置するように設けられる。
【００１９】
図２に示すように、前記搬送ベルト緊張装置４は、天板４ａ、フレーム４ｂ、底板４ｃ、パイプ４ｄ、ガイドレール５、及び緊張ローラ６から構成され、前記緊張ローラ６にて前記ベルト復動部３ｂの緊張を保持できるようになっている。
前記天板４ａ及び前記底板４ｃは、防錆効果を有するステンレス等からなる略長方形の薄板からなり、前記天板４ａは前記フレーム４ｂの一端部に、前記底板４ｃは前記フレーム４ｂの他端部にそれぞれ設置される。このとき、前記天板４ａ及び前記底板４ｃは、周知の接合手段である溶接、ねじ止め等にて前記フレーム４ｂに固着される。
【００２０】
前記フレーム４ｂは、防錆効果を有するステンレス等からなる角柱のパイプが用いられる。また、前記フレーム４ｂは前記搬送ベルト緊張装置４の外形を形成するのみであるため、角柱のパイプに限られず、角柱、円柱又は円柱のパイプ等も使用することができる。
【００２１】
また、前記パイプ４ｄは、防錆効果を有するステンレス等からなる円柱が用いられる。前記パイプ４ｄは、前記天板４ａ及び前記底板４ｃの幅方向の一端側に所定の間隔を有して２本の前記パイプ４ｄが、周知の接合手段である溶接、ねじ止め等にて前記フレーム４ｂに固着される。前記パイプ４ｄにおいても、円柱のパイプ、角柱又は角柱のパイプ等、その他の形状とすることができるが、前記ガイドレール５を被装し易いよう、円柱形状とすることが望ましい。
【００２２】
前記ガイドレール５は、作新工業株式会社のＳａｘｉｎニューライト（登録商標）という超高分子ポリエチレンを使用する。Ｓａｘｉｎニューライト（登録商標）は、超高分子量ポリエチレンを主原料とした非常に高い分子量をもつ特殊な工業用樹脂であり、分子量５５０万、密度９４０Ｋｇ／ｍ３、融点１３６℃、砂摩耗損量１３ｍｇ、摩擦係数０．０９等の特性を有し、その他、低温においても耐衝撃性を有し、自己潤滑性を有するもので、その表面はパラフィン状で滑らかであり、また非粘着性であるため、埃等の付着も少ないものである。
また、前記ガイドレール５は、図３（ａ）に示すように、断面が略Ｃ型形状に成形され、前記ガイドレール５における外側円弧部５ａの略中央位置には、直線部５ｂが設けられており、図３（ｂ）に示すように、前記直線部５ｂが相互に対向するようそれぞれの前記パイプ４ｄに被装される。このように、前記直線部５ｂを設けることによって、後に取り付けられる前記緊張ローラ６との接地面積を多くすることができる。また、断面が略Ｃ型形状に成形したことから、前記パイプ４ｄに対して容易に被装することができるし、前記ガイドレール５を交換する場合においても容易に取り外すことができる。
【００２３】
前記緊張ローラ６は、防錆効果を有するステンレス等からなる円柱のパイプのローラ部６ａの両端部に同一材質からなる円柱形状の主軸６ｂが、周知の接合手段である溶接、ねじ止め等にて固着されることによって構成される。このとき、前記主軸６ｂの外径は、前記ガイドレール５が被装された前記パイプ４ｄにおける所定間隔と略同一であることが望ましい。
【００２４】
このようにして構成される前記搬送ベルト緊張装置４は、前記ベルト復動部３ｂにおける幅方向の両端部にて、前記コンベア付フリーザ１における内壁片１ａにボルト（図示しない）によって前記天板４ａが固定され、前記ガイドレール５が被装された前記パイプ４ｄにおける所定間隔に前記緊張ローラ６を前記ベルト復動部３ｂの上から設置されることで作用するものである。
このとき、前記緊張ローラ６は、前記ガイドレール５における所定間隔に、前記緊張ローラ６における前記主軸６ｂを嵌挿させ、前記ローラ部６ａを前記ベルト復動部３ｂ上に設置されているのみであり、また、前記ガイドレール５には、低温においても耐衝撃性を有し、耐摩耗性に優れ、自己潤滑性を有する超高分子ポリエチレンを使用していることから、前記緊張ローラ６における前記主軸６ｂと前記ガイドレール５は氷結することはなく、前記ガイドレール５における垂直方向に対して摺動可能となり、前記緊張ローラ６の上下動を円滑に行うことができる。これによって、図４の矢印に示すように、前記ベルト復動部３ｂの撓みを前記緊張ローラ６の自重で、下方へ引張ることができ、前記搬送ベルト３の緊張を保持することができる。
【００２５】
更に、前記緊張ローラ６の自重のみでは、前記搬送ベルト３の緊張を保持できないような場合には、図５に示すように、前記緊張ローラ６における前記主軸６ｂの長さ方向に対してねじ孔６ｃを設けることもできる。これによって、前記ねじ孔６ｃを有した前記主軸６ｂに、前記搬送ベルト３の緊張を保持し得る錘７をボルト８にて固着することができる。この際、前記緊張ローラにおける前記主軸の左右の均衡を保持し、前記搬送ベルト３の蛇行を防止する為に、両端部の前記主軸６ｂに前記錘７を設けることが望ましい。
【００２６】
以上、説明した本発明の実施例に係るコンベア付フリーザ１の搬送ベルト緊張装置４によれば、低温においても耐衝撃性を有し、耐摩耗性に優れ、自己潤滑性を有する超高分子ポリエチレンから形成される略Ｃ型形状の前記ガイドレール５を前記パイプ４ｄに被装し、前記ガイドレール５における所定間隔に、前記緊張ローラ６における前記主軸６ｂを嵌挿させ、前記ローラ部６ａを前記ベルト復動部３ｂ上に設置したので、前記コンベア付フリーザ１内においても、前記緊張ローラ６における前記主軸６ａと前記ガイドレール５は氷結することはなく、前記ガイドレール５における垂直方向に対して摺動可能となるので、前記緊張ローラ６の上下動を円滑に行うことができる。
これによって、前記ベルト復動部３ｂの撓みを前記緊張ローラ６の自重で、下方へ引張ることができ、前記搬送ベルト３の延びを自動的に調節して緊張を保持することができるようになる。
また、前記ガイドレール５には、超高分子ポリエチレンのみを使用するので、従来のような軸受けを用いた際における煩雑なメンテナンス等の作業を必要とせず、構造も簡素化することができる。
また、前記ガイドレール５の断面を略Ｃ型形状に成形したことから、前記パイプ４ｄに対して容易に被装することができるし、前記ガイドレール５を交換する場合においても容易に取り外すことができる。
更に、構造を簡素化したことから、前記緊張ローラ６の自重のみによって、前記緊張ローラ６における前記主軸６ｂの左右の均衡を保持することができるので、左右の主軸６ｂの上下動に片寄りが生じることもなく、前記搬送ベルト３の蛇行を引き起こす虞もなくなる。
【図面の簡単な説明】
【００２７】
【図１】本発明の実施例１に係るコンベア付フリーザ１を長手方向に切断した部分簡略正面図である。
【図２】本発明の実施例１に係るコンベア付フリーザ１における搬送ベルト緊張装置、緊張ローラ及びベルト復動部の部分拡大正面図である。
【図３】本発明の実施例１に係るコンベア付フリーザ１における（ａ）ガイドレールの拡大正面図、（ｂ）搬送ベルト緊張装置、緊張ローラ及びベルト復動部の部分拡大平面図である。
【図４】本発明の実施例１に係るコンベア付フリーザ１における搬送ベルト緊張装置、緊張ローラ及びベルト復動部の緊張ローラ摺動後の部分拡大平面図である。
【図５】本発明の実施例１に係るコンベア付フリーザ１における搬送ベルト緊張装置、錘を設置した緊張ローラ及びベルト復動部の部分拡大平面図である。
【図６】従来より用いられている搬送コンベアにおける搬送ベルト緊張装置の部分拡大正面図である。
【符号の説明】
【００２８】
１      コンベア付フリーザ
１ａ    内壁片
２      従動プーリ
２ａ、２ｂ    スプロケット
３      搬送ベルト
３ａ    ベルト往動部
３ｂ    ベルト復動部
４      搬送ベルト緊張装置
４ａ    天板
４ｂ    フレーム
４ｃ    底板
４ｄ    パイプ
５      ガイドレール
５ａ    外側円弧部
５ｂ    直線部
６      緊張ローラ
６ａ    ローラ部
６ｂ    主軸
６ｃ    ねじ孔
７      錘
８      ボルト
９      ガイドレール
１０    軸受け
１０ａ  回転軸
１１    係止部
１２    固定台
【図１】
2008297038.tif 000003
【図２】
2008297038.tif 000004
【図３】
2008297038.tif 000005
【図４】
2008297038.tif 000006
【図５】
2008297038.tif 000007
【図６】
2008297038.tif 000008